【手続補正書】
【提出日】平成29年5月26日(2017.5.26)
【手続補正１】
【補正対象書類名】明細書
【補正対象項目名】００９０
【補正方法】変更
【補正の内容】
【００９０】
本実施の形態の第１実施例として、検出対象粒子（抗原）と蛍光色素ＰＥ−Ｃｙ５により標識された抗体とを含む試薬を５×１０５倍希釈した液体（液体中の検出対象粒子の濃度：３×１０７個／ｍｌ＝０．００２ｎｇ／ｍｌ）を、０．１ｍｌ／ｈｒに流量で供給しながら液滴形成部１３によりエアロゾル状の液滴を形成し、液滴選別部１４により所定の粒径未満の液滴を選別した後、測定部１５により液滴の蛍光強度を、５ｍｓのゲート時間に受光部５４で検出された光子数として測定した。第１実施例の測定結果を、図８において、ひし形の点で示す。なお、図８において、横軸は、５ｍｓのゲート時間に受光部５４で検出された光子数、すなわち液滴の蛍光強度を示しており、縦軸は、そのような強度の蛍光を発した液滴が５分間の間に検出された回数（頻度）についての測定を５回繰り返した結果の平均値を示している。
【手続補正２】
【補正対象書類名】明細書
【補正対象項目名】０１３９
【補正方法】変更
【補正の内容】
【０１３９】
１０    測定装置
１１    ダスト除去部
１２    捕集部
１３    液滴形成部
１４    液滴選別部
１４’  液滴選別部
１４ａ  中央チャンバ体
１４ｂ  上方チャンバ体
１４ｃ  下方チャンバ体
１４１  第１流路
１４２  第２流路
１５    測定部
１５’  測定部
１６    液体回収部
１７    吸引ポンプ
１８    主配管
１８ａ  絞り部分
１９    粗大ダスト除去部
２０    サイクロン
２１    サイクロン本体
２２    気体導入部
２３    液体導入部
２３ａ  タンク
２３ｂ  液体導入管
２３ｃ  流量制御部
２４    吸引排気部
２４ａ  吸引排気ポンプ
２４ｂ  吸引排気管
２５    水位検出部
２６    液体供給管
２７    送液ポンプ
４１    第２液体導入部
４２    羽根車（プロペラ）
４３    回転駆動部
４４    旋回部
４５    排気孔
４６    加温機構
５１    発光部
５２ａ  光透過窓
５２ｂ  光透過窓
５３    光学フィルタ
５４    受光部
５４ａ  第１の受光部
５４ｂ  第２の受光部
５５    受光出力計測部
５６    ケース体
５７    第３の受光部
５８    第１の光学フィルタ
５９    第２の光学フィルタ
６０    第２サイクロン
６１    第２サイクロン本体
６２    第２気体導入部
６４    第２吸引排気部
６４ａ  第２吸引排気ポンプ
６４ｂ  第２吸引排気管
３０１  液滴
３０２  液滴
３０３  検出対象粒子に結合していない蛍光物質を含む部分
３０４  検出対象粒子に結合した蛍光物質を含む部分
３１１  液滴
３１２  液滴
３１３  検出対象粒子に結合した蛍光物質を含む部分
３１４  検出対象粒子に結合していない蛍光物質を含む部分
【手続補正３】
【補正対象書類名】特許請求の範囲
【補正対象項目名】全文
【補正方法】変更
【補正の内容】
【特許請求の範囲】
【請求項１】
気体中に含まれる検出対象粒子を液体中に捕集するとともに、当該液体中の検出対象粒子に当該検出対象粒子に特異的に結合する蛍光物質を結合させる捕集部と、
前記捕集部から供給される液体からエアロゾル状の液滴を形成する液滴形成部と、
前記液滴に光を照射するとともに、当該液滴の蛍光強度を測定する測定部と、
を備え、
前記捕集部は、
気体導入部と液体導入部とサイクロン本体とを有し、当該気体導入部から導入される気体を前記サイクロン本体の周方向に旋回させ、遠心力により当該気体中の検出対象粒子を前記サイクロン本体の壁面側に分離するとともに、当該液体導入部から液体を導入し、前記サイクロン本体の壁面側に分離された検出対象粒子を液体中に捕集して当該液体を前記液滴形成部へと連続的に供給可能なサイクロン
を有する
ことを特徴とする測定装置。
【請求項２】
前記サイクロンは、前記サイクロン本体の内部に導入された前記液体の水位を検出する水位検出部を更に有し、当該水位検出部の検出結果に基づいて、前記液体導入部から導入される液体の流量を調整するようになっている
ことを特徴とする請求項１に記載の測定装置。
【請求項３】
前記液体導入部は、前記蛍光物質を含む液体を前記サイクロン本体の内部に導入するようになっている
ことを特徴とする請求項１または２に記載の測定装置。
【請求項４】
前記サイクロン本体の下方部と前記液滴形成部とを接続する配管には、当該配管内を流れる液体に前記蛍光物質を含む液体を合流させる第２液体導入部が接続されている
ことを特徴とする請求項１または２に記載の測定装置。
【請求項５】
前記液体導入部は、前記検出対象粒子を前処理するための液体を前記サイクロン本体の内部に導入するようになっている
ことを特徴とする請求項４に記載の測定装置。
【請求項６】
前記捕集部は、
第２気体導入部と第２サイクロン本体とを有し、当該第２気体導入部から導入される気体を前記第２サイクロン本体の周方向に旋回させ、遠心力により当該気体中の検出対象粒子を前記第２サイクロン本体の壁面側に分離して前記サイクロンの気体導入部へと連続的に供給可能な第２サイクロン
を更に有する
ことを特徴とする請求項１乃至５に記載の測定装置。
【請求項７】
前記サイクロンには、前記サイクロン本体の内部を吸引排気して減圧させ、差圧により前記気体導入部から周方向に旋回するように気体を導入させる吸引排気部が設けられている
ことを特徴とする請求項１乃至６のいずれかに記載の測定装置。
【請求項８】
前記サイクロン本体の内部には、前記気体導入部から導入された気体を周方向に旋回させる旋回部が設けられている
ことを特徴とする請求項１乃至６のいずれかに記載の測定装置。
【請求項９】
前記捕集部には、前記液体を加温する加温機構が設けられている
ことを特徴とする請求項１乃至８のいずれかに記載の測定装置。
【請求項１０】
前記捕集部には、前記液体を冷却する冷却機構が設けられている
ことを特徴とする請求項１乃至８のいずれかに記載の測定装置。
【請求項１１】
前記測定部は、前記液滴の蛍光強度を２種類以上の異なる波長範囲において測定するようになっている
ことを特徴とする請求項１乃至１０のいずれかに記載の測定装置。
【請求項１２】
前記測定部は、前記液滴の蛍光強度を測定するとともに、当該液滴の散乱光強度を測定するようになっている
ことを特徴とする請求項１乃至１１のいずれかに記載の測定装置。
【請求項１３】
前記蛍光物質は、蛍光標識抗体である
ことを特徴とする請求項１乃至１２のいずれかに記載の測定装置。
【請求項１４】
前記蛍光物質は、複数の蛍光標識抗体により表面を修飾された抗体凝集粒子である
ことを特徴とする請求項１乃至１２のいずれかに記載の測定装置。
【請求項１５】
気体中に含まれる検出対象粒子を液体中に捕集するとともに、当該液体中の検出対象粒子に当該検出対象粒子に特異的に結合する蛍光物質を結合させる捕集工程と、
前記捕集工程から供給される液体からエアロゾル状の液滴を形成する液滴形成工程と、
前記液滴に光を照射するとともに、当該液滴の蛍光強度を測定する測定工程と、
を備え、
前記捕集工程は、
気体導入部と液体導入部とサイクロン本体とを有するサイクロンを用いて、当該気体導入部から導入される気体を前記サイクロン本体の周方向に旋回させ、遠心力により当該気体中の検出対象粒子を前記サイクロン本体の壁面側に分離するとともに、当該液体導入部から液体を導入し、前記サイクロン本体の壁面側に分離された検出対象粒子を液体中に捕集して当該液体を前記液滴形成工程へと連続的に供給するサイクロン工程
を有する
ことを特徴とする測定方法。
【請求項１６】
前記サイクロン工程では、前記サイクロン本体の内部に導入された液体の水位を検出し、検出結果に基づいて、前記液体導入部から導入される液体の流量を調整する
ことを特徴とする請求項１５に記載の測定方法。
【請求項１７】
前記蛍光物質は、蛍光標識抗体である
ことを特徴とする請求項１５または１６に記載の測定方法。
【請求項１８】
前記蛍光物質は、複数の蛍光標識抗体により表面を修飾された抗体凝集粒子である
ことを特徴とする請求項１５または１６に記載の測定方法。
【請求項１９】
気体中に含まれる検出対象粒子を供給する気体導入部と、
前記検出対象粒子に特異的に結合する蛍光物質が含まれた液体を供給する液体導入部と、
壁面を有し、前記液体導入部から供給される前記液体を前記壁面にそって液膜が出来るように供給し、かつ、前記気体導入部から導入される気体を周方向に旋回させ遠心力により前記気体と前記検出対象粒子を分離しつつ前記検出対象粒子を前記液体中に混入させることによって、前記蛍光物質を前記検出対象粒子に結合させるサイクロン本体と、
前記サイクロン本体から供給される液体からエアロゾル状の液滴を形成する液滴形成部と、
前記液滴に光を照射するとともに、当該液滴の蛍光強度を測定する測定部と、
を備えたことを特徴とする測定装置。